(57)【要約】【課題】            表示装置１０００において、光源部１０３を備えた表示ユニット１００と、電源部２０３を備えた本体ユニット２００が電気的に確実に接続されることを目的とする。【解決手段】        本体ユニット２００と、本体ユニット２００に取り付けられる表示ユニット１００と、本体ユニット１００に設けられた本体側コネクタ２０２と、表示ユニット１００に設けられた表示側コネクタ１０４とを備え、本体側コネクタ２０２と表示側コネクタ１０４のいずれか一方を他方に面に対向させて当接させた後、対向させた面に対して平行にスライドさせて嵌合させることにより、表示ユニット１００の表示側コネクタ１０４と本体ユニット２００の本体側コネクタ２０２とを電気的に接続させることができる。【選択図】          図２
2018067558.tif 000002
【特許請求の範囲】
【請求項１】
天井または壁などに取り付けられる本体ユニットと、
前記本体ユニットに取り付けられる表示ユニットと、
前記本体ユニットに設けられた本体側コネクタと、
前記表示ユニットに設けられた表示側コネクタと、
を備え、
前記本体ユニットと前記表示ユニットのうち少なくともいずれか一方を他方の面に対向させて当接させた後、対向させた面に対して平行にスライドさせて前記一方を前記他方に嵌合させることにより、前記本体側コネクタと前記表示側コネクタとを電気的に接続させることを特徴とする表示装置。
【請求項２】
天井または壁などに取り付けられる本体ユニットと、
光源部を有し、前記本体ユニットのすくなくとも一面に取り付けられる表示ユニットと、
前記本体ユニットと前記表示ユニットとを嵌合する嵌合部と、
前記本体ユニットに設けられた本体側コネクタと、
前記表示ユニットに設けられた表示側コネクタと、
を備え、
前記嵌合部が前記表示ユニットを前記本体ユニットの前記一面に平行に移動させることにより嵌合し、前記本体側コネクタと前記表示側コネクタとが、電気的に接続することを特徴とする表示装置。
【請求項３】
前記本体側コネクタと前記表示側コネクタは、前記表示ユニットまたは前記本体ユニットの自重がかかることにより、接続状態を維持することを特徴とする請求項１または請求項２のいずれか１項に記載の表示装置。
【発明の詳細な説明】
【技術分野】
【０００１】
本発明は、表示装置に関するものである。
【背景技術】
【０００２】
図８は従来の表示装置または誘導灯を示す図である。従来の表示装置または誘導灯は、光源部を備える表示ユニット５０１と、電源を表示ユニット５０１に供給する電源部を備えている本体ユニット５０２から構成されている。本体ユニット５０２を天井、壁などの被取付部に取り付けをおこなった後に、表示ユニット５０１を本体ユニット５０２に取り付けている。
【０００３】
具体的には、図８のように表示ユニット５０１の下部側が、本体ユニット５０２の下部側の嵌合部５０３に嵌合をする。前記嵌合部５０３を中心に、前記表示ユニット５０１上部は本体ユニット５０２に向かって回動し、表示ユニット５０１が本体ユニット５０２に取り付けられる。
前記表示ユニット５０１の回動に伴い、表示ユニット５０１上部に設けられた表示コネクタ５０４が、本体ユニット５０２上部に設けられた本体コネクタ５０５に挿し込まれたことにより、表示ユニット５０１の表示コネクタ５０４と本体ユニット５０２の本体コネクタ５０５とが電気的かつ機械的に接続する。（例えば、特許文献１参照）
【先行技術文献】
【特許文献】
【０００４】
【特許文献１】特開２００８−２９３７５９号公報
【発明の概要】
【発明が解決しようとする課題】
【０００５】
従来の表示装置、誘導灯は、上記で説明したとおり、表示ユニット５０１を回動させ表示ユニット５０２に取り付けをする構造である。
一方で、表示コネクタ５０４は、本体コネクタ５０５に挿し込まれ接続するものであり、前記表示ユニット５０１の表示面に対して垂直方向に力が加えられることにより、両者のコネクタ５０４、５０５が電気的に接続する構造である。
その為、表示ユニット５０１の回動によるコネクタ５０４、５０５の接続では、接続が不十分な可能性がある。このような場合、表示ユニットと本体ユニットの電気的な接続が不十分となり、表示装置、誘導灯の光源部が点灯できないなどの不具合が生じる可能性があった。
【０００６】
本発明では、上記のような課題を解決する為になされたもので、表示ユニットと本体ユニットが電気的に確実に接続された表示装置、誘導灯を提供することを目的とする。
【課題を解決するための手段】
【０００７】
本発明における表示装置は、天井または壁などに取り付けられる本体ユニットと、本体ユニットに取り付けられる表示ユニットと、本体ユニットに設けられた本体側コネクタと、表示ユニットに設けられた表示側コネクタと、を備え、本体ユニットと表示ユニットのうち少なくともいずれか一方を他方の面に対向させて当接させた後、対向させた面に対して平行にスライドさせて一方を他方に嵌合させることにより、本体側コネクタと表示側コネクタとを電気的に接続させることを特徴とするものである。
【発明の効果】
【０００８】
本発明の表示装置、誘導灯は、表示ユニットと本体ユニットが電気的に確実に接続することができる。
【図面の簡単な説明】
【０００９】
【図１】本実施の形態１を示す表示装置の斜視図である。
【図２】本実施の形態１を示す表示装置のＡ−Ａ’断面図である。
【図３】本実施の形態１を示す表示装置の嵌合部の取付工程図である。
【図４】本実施の形態１を示す表示装置のコネクタの取付工程図である。
【図５】本実施の形態１を示す表示装置の本体ユニット変形例の斜視図である。
【図６】本実施の形態２を示す表示装置の固着部の詳細図である。
【図７】本実施の形態３を示す誘導灯の斜視図である。
【図８】従来技術を示す表示装置または誘導灯の表示ユニットの取付工程図である。
【発明を実施するための形態】
【００１０】
（実施の形態１）
図１は本実施の形態１を示す表示装置の斜視図である。図２は図１に示す表示装置のＡ−Ａ’断面図であり、表示ユニットを本体ユニットに取り付けする取付工程を示した図である。図３は図１を示す表示装置の嵌合部の取付工程図である。図４は図１を示す表示装置の表示側コネクタの取付工程図である。
【００１１】
表示装置１０００の構成に関して説明する。
図１において、表示装置１０００は、表示ユニット１００と本体ユニット２００から構成されており、表示ユニット１００は本体ユニット２００に取り付けられている。
なお、図１の表示装置１０００は、壁に据え付けられた状態を示す図である。表示装置１０００は、天井に据え付けられることもある。
【００１２】
図２において、表示ユニット１００は、表示ケース１０１と、表示部１０２と、光源部１０３と、表示側コネクタ１０４を備えている。また、表示ユニット１００に表示側嵌合部１０５が、表示ユニット１００の複数個所に形成されている。
本体ユニット２００は、本体ケース２０１と、本体コネクタ部２０２と、電源部２０３を備えており、本体側嵌合部２０４を形成している。
【００１３】
次に、各構成の動作機能について説明をする。
図２において、（１）は表示ユニット１００に本体ユニット２００が取り付けられる前の状態を示す。図２において、（２）は表示ユニット１００の表示側嵌合部１０５と、本体ユニット２００の本体側嵌合部２０４が当接した状態である。図２において、（３）は表示ユニット１００の反対面１０１ｂ（図２の（１）に記載）と、本体ユニット２０１の一面２０１ａ（図２の（１）に記載）が当接した状態である。図２において、（４）は表示ユニット１００が本体ユニット２００に取り付けられた状態である。
【００１４】
図２の（１）において、表示ユニット１００は、前面に開口部１０１ａを有した表示ケース１０１の内部に表示部１０２と、光源部１０３を収納している。
表示部１０２は開口部１０１ａに面するように配置されている。光源部１０３は表示部１０２の裏面に配置され、表示部１０２全体を裏面から照射している。
【００１５】
図２の（１）において、表示ケース１０１は、開口部１０１ａと反対側に反対面１０１ｂから、表示ユニット１００を本体ユニット２００に取り付けする為の表示側嵌合部１０５が上下各部にて突出している。
また、反対面１０１ｂの下側には、本体ユニットに備えられた電源部２０４から光源部１０３へ電力を供給する為の表示側コネクタ１０４が、表示側コネクタ１０４の接続部１０４ａが下側に向くように取り付けられている。
【００１６】
図２の（１）において、本体ユニット２００は、表示ユニット１００が取り付けられる一面２０１ａを有した多角形形状をしており、一面２０１ａの反対側に位置する背面２０１ｂ、もしくは上枠部２０１ｃが被取付部３０（例えば、天井や壁など）に取り付けられる。一面２０１ａには、表示ユニット１００が取り付けられる為の開口部２０１ａａが形成されている。
また、本体ケースの横側面２０１ｄには、表示ユニット１００の表示側嵌合部１０５と嵌め合いし嵌合部１０を形成する本体側嵌合部２０４が上下各部に配置されている。  また、本体ケース２０１の下枠部２０１ｅには、表示ユニット１００の表示側コネクタ１０４と接続し、電源部２０３からの電力を光源部１０３へ供給する本体側コネクタ２０２が、接続部２０２ａを上枠側２０１ｃに向くように取り付けられている。
【００１７】
なお、図２の（１）に示すとおり、表示ユニット１００と、本体ユニット２００は別体になっている。
【００１８】
次に、図２の（２）において、表示ユニット１００の表示側嵌合部１０５を本体ユニットの本体側嵌合部２０４に当接させる。
表示ユニット１００の反対面１０１ｂと本体ユニット２００の一面２０１ａが正対する。
【００１９】
次に、図２の（３）において、（２）より表示側嵌合部１０５と本体側嵌合部２０４とが当接した状態で、表示ユニット１００を本体ユニット２００方向へ、表示ユニット１００の反対面１０１ｂが本体ユニットの一面２０１ａが当接するまで移動させる。図２の（３）の状態は、図２の（２）の状態から更に表示ユニット１００を本体ユニット２００に当接させた状態である。
表示ユニット１００の反対面１０１ｂが本体ユニットの一面２０１ａを当接させることで、表示ユニット１００は一面２０１ａと平行に下方向へ移動可能となる。
【００２０】
次に、図２の（４）において、表示ユニット２０１は一面２０１ａと平行に下方向（図２の（３）の矢印方向）へ移動し、表示側嵌合部１０５と本体側嵌合部２０４が嵌め合いし嵌合部１０を形成するとともに、表示側コネクタ１０４と本体側コネクタ２０２が接続されコネクタ２０を形成し電気的に接側される。
【００２１】
表示ユニット１００を下方向（図２の（３）の矢印方向）にスライドさせて表示側コネクタ１０４と本体側コネクタ２０２は接続するので、表示ユニット１００の自重で、表示側コネクタ１０４と本体側コネクタ２０２の接続を確実にするとともに、その状態を維持することができる。
【００２２】
表示ユニット1００を本体ユニット２００から取り外す工程は、取付工程の逆の手順となる。
表示ユニット２００を上方向へスライドさせると、表示側コネクタ１０４は本体側コネクタ２０２から外れるとともに、表示側嵌合部１０５は本体側嵌合部２０４との嵌合状態が解除される。
【００２３】
次に、表示ユニット１００を正面方向へ可動させることにより、本体ユニット２００から表示ユニット１００が外れる。
【００２４】
次に、嵌合部１０の嵌め合いに関して説明をする。
図３において、（１）は表示ユニット１００に本体ユニット２００が取り付けられる前の状態を示す。図３の（２）は表示ユニット１００の表示側嵌合部１０４と、本体ユニット２００の本体側嵌合部２０２が当接した状態である。図３の（３）は表示ユニット１００の反対面１０１ｂと、本体ユニット２０１の一面２０１ａが当接した状態である。図３の（４）は表示ユニット１００が、本体ユニット２０１が取り付けられた状態である。
【００２５】
図３の（１）において、表示側嵌合部１０５は、円柱形状の水平方向（図３の（１）の矢印方向）への移動を抑制する水平嵌合部１０５ａと、垂直下方向(図３の（３）の矢印方向)への移動を抑制する垂直嵌合部１０５ｂから形成されている。
【００２６】
図３の（１）において、本体側嵌合部２０４は、表示ユニット１００を本体ユニット２００へ誘導する傾斜部２０４ａと、表示ユニット１００を本体ユニット２００が係止する係止部２０４ｂから形成されている。
【００２７】
なお、表示ユニット１００と、本体ユニット２００は別体になっている。
【００２８】
次に、図３の（２）において、表示側嵌合部１０５の水平嵌合部１０５ａが、本体嵌合部２０４の傾斜部２０４ａに当接する。このとき、表示ユニット１００と本体ユニット２００は正対している。
【００２９】
次に、図３の（３）において、表示側嵌合部１０５の水平嵌合部１０５ａが、本体嵌合部２０４の傾斜部２０４ａに当接した状態で、表示ユニット１００を傾斜部２０４ａの傾斜に沿って本体ユニット２００方向へ、表示ユニット１００の反対面１０１ｂが本体ユニット２００の一面２０１ａに当接するまで移動させる。図３の（３）の状態は、図３の（２）の状態から更に表示ユニット１００を本体ユニット２００に当接させた状態である。
表示ユニット１００の反対面１０１ｂと、本体ユニット２００の一面２０１ａが当接すると、表示側嵌合部１０５の水平嵌合部１０５ａは本体嵌合部２０４の傾斜部２０４ａへの当接がはずれ、表示ユニット１００は一面２０１ａと平行に下方向へ移動可能となる。
【００３０】
次に、図３の（４）において、表示ユニット２０１は一面２０１ａと平行に下方向（図３の（３）矢印方向）へ移動し、表示側嵌合部１０５と本体側嵌合部２０４が嵌め合いし嵌合部を形成される。
【００３１】
次に、コネクタ２０の接続に関して説明する。
図４の（１）は表示ユニット１００に本体ユニット２００が取り付けられる前の状態を示す。図４の（２）は表示ユニット１００の表示側嵌合部１０５と、本体ユニット２００の本体側嵌合部２０４が当接した状態である。図４の（３）は表示ユニット１００の反対面１０１ｂと、本体ユニット２０１の一面２０１ａが当接した状態である。図４の（４）は表示ユニット１００が、本体ユニット２０１が取り付けられた状態である。
【００３２】
図４の（１）において、表示側コネクタ１０４は表示ユニット１００の反対面１０１ｂ下部側にそなえられており、表示側コネクタ１０４の接続口１０４ａが下方向を向くように配置されている。
【００３３】
本体側コネクタ２０２は、本体ケース２０１の下枠部２０１ｅにそなえられており、本体側コネクタ２０２の接続口２０２ａが上枠方向２０１ｃ（図２参照）へ向くように配置されている。
【００３４】
なお、表示ユニット１００と、本体ユニット２００は別体になっている。
【００３５】
図４の（２）において、表示側嵌合部１０５の水平嵌合部１０５ａが、本体嵌合部２０４の傾斜部２０４ａに当接する。このとき、表示ユニット１００と本体ユニット２００は正対している。
【００３６】
図４の（３）において、（２）より表示側嵌合部１０５と本体側嵌合部２０４とが当接した状態で、表示ユニット１００を本体ユニット２００方向へ、表示ユニット１００の反対面１０１ｂが本体ユニットの一面２０１ａが当接するまで移動させる。図４の（３）の状態は、図４の（２）の状態から更に表示ユニット１００を本体ユニット２００に当接させた状態である。
表示ユニット１００の反対面１０１ｂが本体ユニットの一面２０１ａを当接させることで、表示ユニット１００は一面２０１ａと平行に下方向（図４の（３）の矢印方向）へ移動可能となる。
また、表示側コネクタ１０４の接続部１０４ａと本体側コネクタ２０２の接続部２０２ａが直線状に配置される。
【００３７】
図４の（４）において、表示ユニット２０１は一面２０１ａと平行に下方向（図４の（３）の矢印方向）へ移動し、表示側コネクタ１０４と本体側コネクタ２０２が接続されコネクタ２０を形成し電気的に接続される。
【００３８】
本実施形態は、表示装置１０００において、光源部１０３を備えた表示ユニット１００と、電源部２０３を備えた本体ユニット２００は、表示側嵌合部１０５と本体側嵌合部２０４により、一面２０１ａと平行に嵌合して取り付けられる。この取付工程によって表示ユニット１００に設けられた表示側コネクタ１０４と、本体側ユニット２００に設けられた本体側コネクタ２０２が接続することができる。
【００３９】
また、表示側コネクタ１０４と本体側コネクタ２０２の接続は、表示ユニット１００の自重により接続を確実にするとともに、その状態を維持することができる。
【００４０】
本実施の形態１は、表示側コネクタ１０４と本体側コネクタ２０２は下枠部２０１ｅ側にて接続されるように構成したが、横枠部２０１ｄ側で接続されても良い。
また、表示側嵌合部１０５が突出するように構成したが、本体側嵌合部２０４が突出する構成でもよい。
コネクタ２０の接続位置、嵌合部１０の形状に関しては、表示ユニット１００が本体ユニット２００へ取り付けられることに伴い、表示ユニット１００と本体ユニット２００が電気的に接続できる構成であれば本実施の形態と同様の効果が得られる。
例えば、本体ユニット２００が、表示ユニット２０１の一面２０１ａと平行に下方向（図４の（３）の矢印方向）へ移動する。この移動にともない、本体ユニット２００に設けられ、且つ表示側コネクタ１０４と同じ構成のコネクタは、本体側コネクタ２０２と同じ構成であり、且つ表示ユニット１００に設けられたコネクタに接続する。
上記の例の場合、表示側コネクタと本体側コネクタの接続は、本体ユニット２００の自重により接続を確実にするとともに、その状態を維持することができる。
【００４１】
本実施形態１は、本体ケース２０１の一面２０１が開口部２０１ａａを形成するように構成したが、開口部は表示ユニット１００が本体ユニット２００へ取り付けられることに伴い、表示ユニットと本体ユニットが電気的に接続できる構成であればよい。
例えば、図５の（１）に示すように全面が開口した開口部２０１ａａ′でもよく、図５の（２）に示すように一部が開口した開口部２０１ａａ′′であってもよい。
開口部は表示ユニットが本体ユニットへ取り付けられることに伴い、表示ユニットと本体ユニットが電気的に接続できる構成であれば本実施の形態と同様の効果が得られる。
【００４２】
なお、本実施の形態１では光源部１０３は、有機ＥＬなどによる面光源を想定しているが、ＬＥＤと導光板などによる面光源であっても良い。
また、図５の（３）に示すように、表示ユニットを横方向への移動により取り付けできるよう本体側嵌合部２０４′・本体側コネクタ２０２′を配置したものでもよい。
また、電源部２０３は光源１０３に商用電源などからの電力を供給するものであり、端子台、バッテリー、点灯装置などの部品が付属されているものでもよく、商用電源から本体側コネクタへ接続させる配線でもよい。
【００４３】
（実施の形態２）
本実施の形態２では、固着部３００に関して詳細の説明をする。なお実施の形態１と共通部品は実施の形態１と同じ符号を用いて説明を行う。
図６は、図４のコネクタ取付工程図の固着部３００に関して詳細を示したものである。
【００４４】
図６において、（１）は表示ユニット１００が本体ユニット２００に固着される前の状態である。（２）は表示ユニット１００が本体ユニット２００へ固着された状態である。
【００４５】
図６において、固着部３００は表示ユニット１００に設けられた係合爪３０１と、本体ユニット２００に設けられた係合爪受部３０２から構成されている。
【００４６】
図６の（１）において、係合爪３０１は表示ケース反対面１０１ｂからＬ字状に突出して形成されている。係合爪３０１はＬ部３０１ａと、Ｌ部３０１ａの先端に本体ユニット１００の係合爪受部３０２に嵌合する三角形状の凸部３０１ｂから構成されている。
【００４７】
図６の（１）において、係合爪受部３０２は本体ユニット２００に設けられ本体側コネクタ２０２の一面２０１ａに面する側面より、一面２０１ａ方向へ突出するように形成されている。
【００４８】
また、本体ユニット２００の下枠部２０１ｅには、固着された固着部３００を解徐する解徐部３０３が設けられている。
解徐部３０３は係合爪受部３０２に面するように下枠部２０１ｅの備えられており、下枠部２０１ｅから外方向へ突出したプッシュ部３０３ａと、プッシュ部３０３ａから係合爪受部３０２方向へ垂直に突出した解徐爪部３０３ｂから構成されている。
【００４９】
なお、図６の（１）において、表示ユニット１００は反対面１０１ｂが本体ユニットの一面２０１ａを当接されており、表示ユニット１００は一面２０１ａと平行に下方向（図６の（１）の矢印方向）へ移動可能な状態である。
【００５０】
図６の（２）において、表示ユニット１００は一面２０１ａと平行に下方向（図６の（１）の矢印方向）へ移動し、表示ユニット１００が本体ユニット２００に取り付けられ、係合爪３０１は弾性変形しながら係合爪受部３０２に嵌り込み固着部３００が形成される。
【００５１】
次に固着部３００の解徐方法に関して説明する。
図６の（２）において、本体ユニット２００の解徐部３０３のプッシュ部３０３ａを内側方向（図６の（１）の矢印と反対方向）に押すと、解徐爪部３０３ｂが係合爪３０１の３０１ａ凸部を押し上げ、係合爪３０１は表示ユニット１００方向へ弾性変形をおこない係合爪受部の嵌合状態が解除する。
この状態で、表示ユニット１００を上方向へスライドさせると、表示側コネクタ１０４は本体側コネクタ２０２から外れるとともに、表示側嵌合止部１０５（図２参照）とは本体側嵌合止部２０４（図２参照）の嵌合状態が解除される。
【００５２】
本実施の形態では、表示ユニット１００に設けられた係合爪３０１と本体ユニット２００に設けられた係合爪受部３０２が、表示ユニット１００が本体ユニット２００へ取り付けられることに伴い、固着部３００を形成し、表示ユニット１００を本体ユニットに固着することができる。
【００５３】
また、固着部３００の固着状態を、表示装置１０００外側より操作し解除できる解徐部３０３を有している。
【００５４】
本実施の形態は、表示ユニット１００に係合爪３０１が設けられており、本体ユニット２００に係合爪受部３０２がもうけられる構成にしたが、表示ユニットに係合爪受部３０１′が設けられ、本体ユニットに係合爪部３０２′が設けられる構成でもよい。
係合爪と係合爪受部から構成される固着部の形状、配置位置に関しては、表示ユニット１００が本体ユニット２００へ取り付けられることに伴い、表示ユニット１００を本体ユニット２００に固着できる構成であれば本実施の形態と同様の効果が得られる。
例えば、本体ユニット２００′が、表示ユニット１００′の一面１０１ａ′と平行に下方向（図６の（１）の矢印方向）へ移動する。この移動にともない、本体ユニット２００′に設けられ、且つ係合爪３０１と同じ構成の爪部は、係合爪受部３０２と同じ構成であり、且つ表示ユニット１００′に設けられた受部と嵌合し固着部３００′を形成する。
なお、解徐部３０３′は固着部３００′の形状により表示ユニット１００′、もしくは本体ユニット２００‘のどちらに設けられてもよい。
【００５５】
（実施の形態３）  
本実施の形態３では、実施の形態１の表示装置１０００を誘導灯４００として応用して用いた場合に関して詳細の説明をおこなう。なお実施の形態１と共通部品は実施の形態１と同じ符号を用いて説明をおこなう。
図７は、誘導灯４００の斜視図である。
【００５６】
図７において、表示装置１０００は表示部１００に、非常口のピクトグラム４０１など、誘導を示す絵柄、文字、矢印などが表示された部材を用いる。
【００５７】
本実施の形態は、表示部１００に非常口のピクトグラム４０１など誘導表示された部材を用いることで、誘導灯４００として使用することができる。
【符号の説明】
【００５８】
１０００ 表示装置、１０  嵌合部、２０  コネクタ、３０  被取付部、１００  表示ユニット、１０１  表示ケース、１０１ａ開口部、１０１ｂ反対面、１０２  表示部、１０３  光源部、１０４  表示側コネクタ、１０４ａ  接続部、１０５  表示側嵌合部、１０５ａ  水平嵌合部、１０５ｂ  垂直嵌合部、２００  本体ユニット、２０１  本体ケース、２０１ａ  一面、２０１ａａ  開口部、２０１ｂ  背面、２０１ｃ  上枠部、２０１ｄ横枠部、２０１ｅ  下枠部、２０２  本体側コネクタ、２０２ａ  接続部  ２０３  電源部、２０４  本体側嵌合部、２０４ａ傾斜部、２０４ｂ係止部、３００  固着部、３０１  係合爪、３０１ａ  Ｌ部、３０１ｂ  凸部、３０２  係合爪受部、３０３  解徐部、３０３ａ  プッシュ部、３０３ｂ  解徐爪部、４００  誘導灯、４０１  ピクトグラム（表示部）、５０１  従来技術の表示ユニット、５０２  従来技術の本体ユニット、５０３  従来技術の嵌合部、５０４  従来技術の表示コネクタ、５０５  従来技術の本体コネクタ。
【図１】
2018067558.tif 000003
【図２】
2018067558.tif 000004
【図３】
2018067558.tif 000005
【図４】
2018067558.tif 000006
【図５】
2018067558.tif 000007
【図６】
2018067558.tif 000008
【図７】
2018067558.tif 000009
【図８】
2018067558.tif 000010